(57)【要約】【課題】ＰＣプリント機能以外の機能によって遠隔から画像形成装置に印刷ジョブの指示を行った場合に、従来よりも印刷物を誤って持ち去られ難くすることを目的とする。【解決手段】あらかじめ記憶されたラスタライズされたラスタライズ画像を印刷する再印刷ジョブの実行の指示を、端末装置から受信する再印刷ジョブ受付部と、再印刷ジョブの実行の指示を再印刷ジョブ受付部が受信した後に、再印刷ジョブの印刷を実行する実行指示を、ユーザから受け付けるジョブ開始指令受付部と、実行指示をジョブ開始指令受付部が受け付けた後に、ラスタライズ画像を印刷するジョブ実行部と、を有する。【選択図】図４
2018020443.tif 000002
【特許請求の範囲】
【請求項１】
端末装置と通信する機能を有する画像形成装置であって、
あらかじめ記憶されたラスタライズされたラスタライズ画像を印刷する印刷指示を、前記端末装置から受信する受信手段と、
前記印刷指示を前記受信手段が受信した後に、前記ラスタライズ画像の印刷を実行する実行指示を、ユーザから受け付ける実行受付手段と、
前記実行指示を前記実行受付手段が受け付けた後に、前記ラスタライズ画像を印刷する印刷手段と、を有する、
ことを特徴とする、画像形成装置。
【請求項２】
画像を記憶する記憶手段を有し、
前記ラスタライズ画像は、前記記憶手段に記憶されている、
請求項１に記載の画像形成装置。
【請求項３】
前記受信手段が前記印刷指示を前記端末装置から受信した場合、前記ラスタライズ画像の印刷の実行を保留にした旨を示す保留メッセージを当該端末装置へ通知する通知手段を有する、
請求項１または請求項２に記載の画像形成装置。
【請求項４】
前記受信手段は、直ちに印刷を実行する即時実行指示を前記印刷指示とともに受信することが可能であり、
前記通知手段は、前記受信手段が前記即時実行指示を受信した場合、前記端末装置へ前記保留メッセージを通知せず、
前記印刷手段は、前記受信手段が前記即時実行指示を受信した場合、前記実行受付手段が前記実行指示を受け付けていなくても前記ラスタライズ画像を印刷する、
請求項３に記載の画像形成装置。
【請求項５】
前記印刷指示を前記受信手段が受信する前に、当該画像形成装置に前記ユーザがログインするための認証を行う、認証手段を有し、
前記通知手段は、前記認証手段が前記認証に成功した場合、前記端末装置へ前記保留メッセージを通知せず、
前記印刷手段は、前記認証手段が前記認証に成功した場合、前記実行受付手段が前記実行指示を受け付けていなくとも前記ラスタライズ画像を印刷する、
請求項３に記載の画像形成装置。
【請求項６】
前記印刷指示を前記受信手段が受信して所定の時間が経過しても未実行である場合に当該印刷指示を取り消す取消手段を有する、
請求項１ないし請求項５のいずれかに記載の画像形成装置。
【請求項７】
過去に当該画像形成装置が受け付けた、画像を印刷する過去指示を、前記端末装置に送信する送信手段と、を有し、
前記受信手段は、ユーザによって選択された前記過去指示を、前記印刷指示として受信し、
前記印刷手段は、前記ラスタライズ画像として、前記ユーザによって選択された前記過去指示に従って印刷されたラスタライズ画像を印刷する、
請求項１ないし請求項６のいずれかに記載の画像形成装置。
【請求項８】
印刷手段を有する本体と前記本体に着脱可能な操作装置とによって構成される画像形成装置であって、
前記操作装置は、
あらかじめ記憶されたラスタライズされた画像であるラスタライズ画像を印刷する印刷指示をユーザから受け付ける、指示受付手段と、
前記印刷指示を前記指示受付手段が受け付けた後に、前記ラスタライズ画像の印刷を実行する実行指示を、ユーザから受け付ける実行受付手段と、を有し、
前記印刷手段は、前記操作装置が前記本体から取り外されている場合、前記実行指示を前記実行受付手段が受け付けた後に前記ラスタライズ画像を印刷し、当該操作装置が当該本体に取り付けられている場合、当該実行受付手段が当該実行指示を受け付けていなくとも当該ラスタライズ画像を印刷する、
ことを特徴とする、画像形成装置。
【請求項９】
端末装置と通信する機能を有する画像形成装置の印刷方法であって、
あらかじめ記憶されたラスタライズされたラスタライズ画像を印刷する印刷指示を、前記端末装置から受信する受信ステップと、
前記受信ステップにおいて前記印刷指示が受信された後に、前記ラスタライズ画像の印刷を実行する実行指示を、ユーザから受け付ける実行受付ステップと、
前記実行受付ステップにおいて前記実行指示が受け付けられた後に、前記ラスタライズ画像を印刷する印刷ステップと、を有する、
ことを特徴とする画像形成装置の印刷方法。
【請求項１０】
端末装置と通信する機能を有する画像形成装置に用いられるコンピュータプログラムであって、
当該画像形成装置に、
あらかじめ記憶されたラスタライズされたラスタライズ画像を印刷する印刷指示を前記端末装置から受信する受信処理を実行させ、
前記受信処理の後に、前記ラスタライズ画像の印刷を実行する実行指示を、ユーザから受け付ける実行受付処理を実行させ、
前記実行受付処理の後に、前記ラスタライズ画像を印刷する印刷処理を実行させる、
ことを特徴とするコンピュータプログラム。
【発明の詳細な説明】
【技術分野】
【０００１】
本発明は、遠隔から印刷の指示を行う画像形成装置の技術に関する。
【背景技術】
【０００２】
「複合機」または「ＭＦＰ（Multi Function Peripherals）」と呼ばれる従来の画像形成装置には、ＰＣプリントと呼ばれる機能がある。ＰＣプリント機能は、画像形成装置と通信可能に接続されたパーソナルコンピュータなどの端末装置から受信したデータに基づいて画像を用紙に印刷する機能である。「ネットワークプリンティング」または「ネットワークプリント」などと呼ばれることもある。ＰＣプリント機能によると、ユーザは、端末装置を用いて遠隔から画像形成装置に印刷ジョブの指示を行う。
【０００３】
このような遠隔から画像形成装置に印刷ジョブの指示を行う技術として、例えば以下のようなものが知られている。
【０００４】
特許文献１に記載の画像形成装置は、ユーザＰＣから印刷の対象となる画像データを含むジョブを受信して印刷を実行すると、ユーザＰＣに対して印刷完了を通知する。また、印刷にかかるジョブに保存用ＩＤを付与した後保存する。ユーザＰＣは完了を通知する画面を表示し、その画面には再印刷を指示するためのボタンが表示される。ボタンが押されることで、ユーザＰＣからそのジョブの再印刷が指示され、画像形成装置は再印刷を実行する。
【０００５】
特許文献２に記載のネットワークプリンタ装置において、ファイルサーバが、プリンタサーバに引き渡し終ったジョブを履歴キューに一定量記憶するように構成する。再印刷の際は、印刷完了したファイルデータを端末からキューへ再送信することなく、履歴キューを用いてプリンタから再印刷する。
【０００６】
特許文献３に記載の印刷制御システムのプリンタにおいて、印刷制御部はクライアント端末から印刷指示された文書を画像形成部で印刷させる。文書保管制御部は該文書を記憶部に保管する。印刷履歴管理部は印刷された文書の印刷履歴を管理する。印刷履歴表示制御部が操作部に表示する印刷履歴から再印刷する文書が選択されると、再印刷制御部は、該文書の印刷履歴中の用紙種別の指定を受付け不可とする印刷設定画面を表示し、意図した印刷に対応する用紙種別の入力を受付けて印刷設定したうえで、該文書を記憶部から読出し、上記印刷設定画面で設定された印刷設定に基づき画像形成部で再印刷させる。
【０００７】
特許文献４に記載の記憶装置は、外部端末に接続するための接続手段と、外部端末から受信したプリントファイルを格納するメモリ手段と、メモリ手段に格納されているプリントファイルを管理するファイル管理手段と、外部端末から受信したプリントファイルの内容を用紙に記録する記録手段とを備え、外部端末からのプリントファイルの受信に際してそのプリントファイルのファイル管理情報を取得し、このファイル管理情報をファイル管理手段に記憶してプリントファイルを管理する。
【０００８】
特許文献５に記載のネットワーク複合機は、通常印刷時に、管理サーバに印刷ＩＤ取得要求を送信し、管理サーバから取得した印刷ＩＤを印刷データの上に重ねた状態で印刷出力する。また、印刷データをＰＤＦ形式等に変換後、変換ファイルと印刷ＩＤを対応付ける。管理サーバは、ネットワークで一意に識別可能な印刷ＩＤを印刷ＩＤ取得要求に応じてネットワーク複合機に割り当て、ネットワーク複合機１から送信された変換ファイルを保存する。再印刷時に、ユーザは、再印刷する印刷データの印刷ＩＤを出力ドキュメントから確認し、ネットワーク複合機に印刷ＩＤを入力する。変換ファイル要求部は、ユーザが入力した印刷ＩＤに対応する変換ファイルを再印刷データとして管理サーバから取得する。
【０００９】
特許文献６に記載の画像形成装置は、着脱可能な操作部を備え、認証を行う属性のジョブと、認証を行わない属性のジョブとを保存手段に保存する。この状態で、認証を行う属性のジョブに対する印刷要求を受け付けた場合、操作部の着脱状態に応じて、認証を行うジョブの実行を制御することを特徴とする。この画像形成装置は、ＰＣから受信した機密属性が付加された印刷ジョブをすぐに印刷せずにＲＯＭに一時格納する、セキュリティ印刷を行うことができる。
【００１０】
特許文献７に記載の画像形成装置は、着脱可能な操作部を備え、受信したジョブの属性情報に第１の属性が設定されていると判断した場合で、かつ、操作部は画像形成装置と接続されていないと判断した場合、情報処理装置に操作部が画像形成装置に接続されていないためジョブを処理できないことを通知する。そして、通知に対して、情報処理装置から受け取る応答に従い、格納手段に格納したジョブの属性を第１の属性に代えて、ユーザＩＤで認証を行う第２の属性を設定する。そして、受け付けるユーザＩＤに基づいて第２の属性が設定されたジョブを印刷するように制御する。この画像形成装置は、機密性の高いドキュメントの印刷を行う際にあらかじめ設定されたパスワードを入力しないと印刷を実行しないというセキュアプリントを行うことができる。
【先行技術文献】
【特許文献】
【００１１】
【特許文献１】特開２００７−２４１６４８号公報
【特許文献２】特開平８−２２１２２７号公報
【特許文献３】特開２００９−２０５２５７号公報
【特許文献４】特開２００３−３３４９９９号公報
【特許文献５】特開２００８−２５８７７７号公報
【特許文献６】特開２０１５−２２９２５１号公報
【特許文献７】特開２０１５−２２９２５２号公報
【発明の概要】
【００１２】
複数のユーザが、画像形成装置に印刷ジョブの指示を近いタイミングで行った場合、あるユーザの印刷物が他のユーザによって誤って持ち去られてしまうことがある。
【００１３】
例えば、あるユーザが遠隔から画像形成装置に印刷ジョブの指示を行い、そのわずか後に、別のユーザが画像形成装置を直接操作して印刷ジョブの指示を行った場合、あるユーザが取るべき印刷物を、別のユーザが自分の印刷物であると勘違いして持ち去ってしまうことがあった。
【００１４】
また、別のユーザが画像形成装置を直接操作して印刷ジョブの指示を複数回行っているときに、あるユーザが遠隔から画像形成装置に印刷ジョブの指示を行った場合、別のユーザの印刷物の中に、あるユーザが取るべき印刷物が紛れ込んでしまい、別のユーザが誤って持ち去ってしまうこともあった。
【００１５】
特許文献１ないし特許文献５に記載されている技術は、いずれも、遠隔からの印刷ジョブの指示または再印刷のジョブの指示を受け付けて、単に画像を印刷しているだけであって、この問題を解決することはできない。
【００１６】
特許文献６に記載されているセキュリティ印刷、または特許文献７に記載されているセキュアプリントを用いることで、ＰＣプリント機能におけるこの問題の解決を図ることができる。
【００１７】
しかし、ＰＣプリント機能以外の、遠隔から画像形成装置に印刷ジョブの指示を行う機能を用いた場合にも、印刷物が誤って持ち去られ難くする必要があった。
【発明が解決しようとする課題】
【００１８】
本発明は、このような問題点に鑑み、ＰＣプリント機能以外の機能によって遠隔から画像形成装置に印刷ジョブの指示を行った場合に、従来よりも印刷物を誤って持ち去られ難くすることを、目的とする。
【課題を解決するための手段】
【００１９】
本発明の一実施形態に係る画像形成装置は、端末装置と通信する機能を有し、あらかじめ記憶されたラスタライズされたラスタライズ画像を印刷する印刷指示を、前記端末装置から受信する受信手段と、前記印刷指示を前記受信手段が受信した後に、前記ラスタライズ画像の印刷を実行する実行指示を、ユーザから受け付ける実行受付手段と、前記実行指示を前記実行受付手段が受け付けた後に、前記ラスタライズ画像を印刷する印刷手段と、を有する。
【００２０】
好ましくは、画像を記憶する記憶手段を有し、前記ラスタライズ画像は、前記記憶手段に記憶されている。
【００２１】
好ましくは、前記受信手段が前記印刷指示を前記端末装置から受信した場合、前記ラスタライズ画像の印刷の実行を保留にした旨を示す保留メッセージを当該端末装置へ通知する通知手段を有する。
【００２２】
本発明の他の実施形態に係る画像形成装置は、印刷手段を有する本体と前記本体に着脱可能な操作装置とによって構成される画像形成装置であって、前記操作装置は、あらかじめ記憶されたラスタライズされた画像であるラスタライズ画像を印刷する印刷指示をユーザから受け付ける、指示受付手段と、前記印刷指示を前記指示受付手段が受け付けた後に、前記ラスタライズ画像の印刷を実行する実行指示を、ユーザから受け付ける実行受付手段と、を有し、前記印刷手段は、前記操作装置が前記本体から取り外されている場合、前記実行指示を前記実行受付手段が受け付けた後に前記ラスタライズ画像を印刷し、当該操作装置が当該本体に取り付けられている場合、当該実行受付手段が当該実行指示を受け付けていなくとも当該ラスタライズ画像を印刷する。
【発明の効果】
【００２３】
本発明によると、ＰＣプリント機能以外の機能によって遠隔から画像形成装置に印刷ジョブの指示を行った場合に、従来よりも印刷物を誤って持ち去られ難くすることができる。
【図面の簡単な説明】
【００２４】
【図１】セキュリティ印刷システムの全体的な構成を示す図である。
【図２】画像形成装置のハードウェア構成の例を示す図である。
【図３】操作パネルのハードウェア構成の例を示す図である。
【図４】画像形成装置の機能的構成の例を示す図である。
【図５】ジョブ実績記憶部の例を示す図である。
【図６】ＰＣプリント画面の例である。
【図７】機密プリント選択画面の例である。
【図８】ジョブ実績一覧画面の例である。
【図９】条件変更画面の例である。
【図１０】保留ジョブ記憶部の例を示す図である。
【図１１】保留ジョブ一覧画面の例を示す図である
【図１２】全体的な処理の流れの例を示すフローチャートである。
【図１３】印刷ジョブ実行処理の流れの例を示すフローチャートである。
【図１４】再印刷ジョブ実行処理の流れの例を示すフローチャートである。
【図１５】保留ジョブ実行処理の流れの例を示すフローチャートである。
【発明を実施するための形態】
【００２５】
図１は、セキュリティ印刷システム１００の全体的な構成を示す図である。図２は、画像形成装置１のハードウェア構成の例を示す図である。図３は、操作パネル１０ｎのハードウェア構成の例を示す図である。
【００２６】
図１に示すように、セキュリティ印刷システム１００は、画像形成装置１、端末装置２、および通信回線４などによって構成されている。
【００２７】
画像形成装置１および端末装置２は、通信回線４を介して通信することができる。通信回線４として、インターネット、ＬＡＮ（Local Area Network）、公衆回線、または専用回線などが用いられる。
【００２８】
画像形成装置１は、コピー、ＰＣプリント、ファックス、スキャナ、およびボックスなどの機能を集約した装置である。一般に、「複合機」または「ＭＦＰ（Multi Function Peripherals）」などと呼ばれることがある。
【００２９】
ＰＣプリント機能は、端末装置２から受信した画像データに基づいて画像を用紙に印刷する機能である。「ネットワークプリンティング」または「ネットワークプリント」などと呼ばれることもある。
【００３０】
ボックス機能は、ユーザごとに「ボックス」または「パーソナルボックス」などと呼ばれる記憶領域を与えておき、各ユーザが自分の記憶領域によって画像データなどを保存し管理するための機能である。グループごとにボックスを設けておき、グループのメンバで共用することもできる。ボックスは、パーソナルコンピュータにおける「フォルダ」または「ディレクトリ」に相当する。
【００３１】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、接続インタフェース１０ｅ、ＮＩＣ（Network Interface Card）１０ｆ、無線ＬＡＮユニット１０ｇ、ファックス通信ユニット１０ｈ、スキャンユニット１０ｉ、ＲＩＰ（Raster Image Processor）ユニット１０ｊ、色空間変換モジュール１０ｋ、プリントユニット１０ｍ、および操作パネル１０ｎなどによって構成される。
【００３２】
接続インタフェース１０ｅは、後述する操作パネル１０ｎの接続インタフェース１１ｇと接続され、操作パネル１０ｎから操作の信号を入力し、またはユーザに対するメッセージを示す画面、ユーザがコマンドまたは情報を入力するための画面、およびＣＰＵ１０ａが実行した処理の結果を示す画面などを表示するためのデータを後述するタッチパネルディスプレイ１１ｅへ出力するための回路である。接続インタフェース１０ｅとして、ＵＳＢ（Universal Serial Bus）などの規格の回路が使用される。
【００３３】
ＮＩＣ１０ｆは、ＴＣＰ／ＩＰ（Transmission Control Protocol/Internet Protocol）などのプロトコルで端末装置２などとの通信を行う。
【００３４】
無線ＬＡＮユニット１０ｇは、無線ＬＡＮの規格、すなわち、ＩＥＥＥ（Institute of Electrical and Electronics Engineers）８０２．１１の規格に基づいて通信を行う。
【００３５】
ファックス通信ユニット１０ｈは、ファックス端末との間でＧ３などのプロトコルで画像データをやり取りする。
【００３６】
スキャンユニット１０ｉは、プラテンガラスの上にセットされたシートに記されている画像を読み取って、ＲＧＢ（Red-Green-Blue color model）の画像データを生成する。
【００３７】
ＲＩＰユニット１０ｊは、端末装置２から送信されたＰＤＬ（page-description language）の画像データに対してラスタライズを行い、ＣＭＹＫ（Cyan Magenta Yellow Key plate color model）の印刷データに変換する。
【００３８】
色空間変換モジュール１０ｋは、スキャンユニット１０ｉが生成したＲＧＢの画像データをＣＭＹＫの印刷データに変換する。
【００３９】
プリントユニット１０ｍは、ＲＩＰユニット１０ｊによって変換されたＣＭＹＫの印刷データ、および色空間変換モジュール１０ｋによって変換されたＣＭＹＫの印刷データなどを用紙に印刷する。
【００４０】
ＲＯＭ１０ｃまたは補助記憶装置１０ｄには、上述のコピーなどの各機能を実現するためのプログラムが記憶されている。さらに、ジョブ実行プログラム１０Ｐ（図４参照）が記憶されている。ジョブ実行プログラム１０Ｐについては、後に説明する。これらのプログラムは、必要に応じてＲＡＭ１０ｂにロードされ、ＣＰＵ１０ａによって実行される。補助記憶装置１０ｄとして、ハードディスクドライブまたはＳＳＤ（Solid State Drive）などが用いられる。
【００４１】
操作パネル１０ｎは、ユーザからの印刷ジョブなどの指示を受け付けたり、画像形成装置１の設定の画面などを表示したりする装置である。また、画像形成装置１の本体に着脱可能な構成である。
【００４２】
操作パネル１０ｎは、図３に示すように、ＣＰＵ１１ａ、ＲＡＭ１１ｂ、ＲＯＭ１１ｃ、フラッシュメモリ１１ｄ、タッチパネルディスプレイ１１ｅ、操作ボタン群１１ｆ、接続インタフェース１１ｇ、無線ＬＡＮユニット１１ｈ、およびバッテリ１１ｉなどのハードウェアモジュールによって構成される。
【００４３】
タッチパネルディスプレイ１１ｅは、上述の画面などを表示する。また、タッチされた位置を示す信号をＣＰＵ１０ａまたはＣＰＵ１１ａへ送る。
【００４４】
操作ボタン群１１ｆは、いわゆるハードウェアキーボードであって、テンキー、スタートキー、ストップキー、およびファンクションキーなどによって構成される。
【００４５】
バッテリ１１ｉは、操作パネル１０ｎの各ハードウェアモジュールに電力を供給する二次電池である。接続インタフェース１１ｇを介して操作パネル１０ｎが画像形成装置１に接続されると、バッテリ１１ｉへの給電が行われる。
【００４６】
ＲＯＭ１１ｃまたはフラッシュメモリ１１ｄには、上述の画面を表示したりユーザから入力された情報を受け付けたりするためのプログラムが記憶されている。これらのプログラムは、必要に応じてＲＡＭ１１ｂにロードされ、ＣＰＵ１１ａによって実行される。
【００４７】
図１に戻って、端末装置２は、画像形成装置１にＰＣプリントを実行させたり、画像形成装置１がスキャンによって取得した画像データを受信したりする。端末装置２には、一般的なウェブブラウザがインストールされている。
【００４８】
端末装置２として、パーソナルコンピュータ、スマートフォン、ウェアラブル端末、またはタブレットコンピュータなどが用いられる。以下、端末装置２として、タブレットコンピュータが用いられる場合を例に説明する。
【００４９】
〔ジョブ実行プログラム１０Ｐによって実現される各部の制御および処理〕
図４は、画像形成装置１の機能的構成の例を示す図である。ジョブ実行プログラム１０Ｐによると、ユーザ情報記憶部１０１、ジョブ実績記憶部１０２、印刷データ記憶部１０３、保留ジョブ記憶部１０４、通常認証部１０５、ジョブ実績提供部１０６、再印刷ジョブ受付部１０７、実行可否判別部１０８、ジョブ実行部１０９、ジョブ保留処理部１１０、ジョブ保留通知部１１１、ジョブ開始指令受付部１１２、実行待ジョブ削除部１１３、および再開認証部１１４が、画像形成装置１に実現される。以下、画像形成装置１の印刷時における各部の処理を、必要な図面を参照しながら説明する。
【００５０】
〔ユーザの認証、ログイン〕
ユーザ情報記憶部１０１にはあらかじめ、画像形成装置１を使用する各ユーザのユーザコードおよびパスワードが互いに関連付けられて記憶されている。
【００５１】
ユーザは、画像形成装置１を使用するために、タッチパネルディスプレイ１１ｅを操作して、画像形成装置１へのログインを要求する。または、端末装置２に記憶されているウェブブラウザを起動させて画像形成装置１にアクセスして、画像形成装置１へのログインを要求する。
【００５２】
画像形成装置１は、ユーザからのログインの要求を受けて、ユーザコードおよびパスワードをユーザに要求する。タッチパネルディスプレイ１１ｅに入力されまたは端末装置２から送信されたユーザコードと同じユーザコードをユーザ情報記憶部１０１から検索し、検索したユーザコードに対応するパスワードと入力されまたは送信されたパスワードと、が一致するか否か判断する。一致する場合は、画像形成装置１へのユーザのログインを許可する。そして、ログインの成功の旨をタッチパネルディスプレイ１１ｅに表示しまたは端末装置２へ通知する。
【００５３】
〔基本的な印刷ジョブの実行およびその実績などの記録〕
図５は、ジョブ実績記憶部１０２の例を示す図である。図６は、ＰＣプリント画面５Ａの例である。図７は、機密プリント選択画面５Ｂの例である。
【００５４】
ジョブ実績記憶部１０２には、図５に示すように、実行した印刷ジョブごとのジョブ実績データ６Ａが記憶される。「ジョブ番号」は、実行した印刷ジョブの番号である。「種類」は、その印刷ジョブがどのようなものかを示す情報である。「ユーザコード」は、その印刷ジョブの実行を指示したユーザのＩＤである。「日時」は、その印刷ジョブを実行した日および時間である。「実行結果」は、その印刷ジョブが正常に実行されたか否かを示す情報である。「ファイル名」は、その印刷ジョブの実行の際に使用された印刷データ６Ｂの識別子である。
【００５５】
印刷データ記憶部１０３には、実行した印刷ジョブごとの、使用した印刷データ６Ｂがファイル単位で記憶される。
【００５６】
ジョブ実績データ６Ａおよび印刷データ６Ｂは、次のようにジョブ実績記憶部１０２および印刷データ記憶部１０３にそれぞれ記憶される。なお、ユーザは事前に画像形成装置１にログインしているものとする。
【００５７】
ジョブがコピージョブである場合、ユーザは、コピーの対象となるドキュメントが記された用紙をスキャンユニット１０ｉにセットし、印刷ジョブの実行を指示する。
【００５８】
すると、スキャンユニット１０ｉは、用紙からドキュメントを読み取り、ＲＧＢの画像データ６Ｃを生成する。色空間変換モジュール１０ｋは、画像データ６ＣをＣＭＹＫの画像データ６Ｄ１に変換する。プリントユニット１０ｍは、画像データ６Ｄ１に基づいて印刷ジョブを実行する。また、この印刷ジョブの実行の指示を受け付けたときにジョブ番号が発行される。
【００５９】
この画像データ６Ｄ１に対して、ファイル化の処理が行われファイル名が付与される。そして、この画像データ６Ｄ１は、印刷データ６Ｂとして印刷データ記憶部１０３に記憶される。
【００６０】
この印刷ジョブの実行に関する情報を示すデータ、つまり発行されたジョブ番号、この印刷ジョブの種類、実行した日時、実行結果、付与されたファイル名、および印刷ジョブの実行を指示したユーザのユーザコードを示すデータは、ジョブ実績データ６Ａとしてジョブ実績記憶部１０２に記憶される。
【００６１】
ジョブがＰＣプリントジョブである場合、ユーザは、アプリケーションで作成しまたはインターネットのサーバからダウンロードした、端末装置２に記憶されているドキュメントのデータの中から印刷の対象となるデータをドキュメントデータ６Ｅとして選択する。そして、ドキュメントデータ６Ｅに対応するアプリケーションで、ドキュメントデータ６Ｅを開く。その後、図６に示されるＰＣプリント画面５Ａにおいて、印刷の条件を設定して印刷を指示する。なお、このときに、プルダウンメニュー７Ａによって、機密プリントのオプションをオンにすることもできる。
【００６２】
機密プリント機能は、遠隔から指示された印刷ジョブの実行を途中で（例えば、ラスタライズまでで）停止し、所定の操作が画像形成装置１に直接行われてからその印刷ジョブの実行を再開する機能である。
【００６３】
端末装置２は、ドキュメントデータ６Ｅを画像形成装置１に対応したＰＤＬの画像データ６Ｆに変換し、画像形成装置１へ送信する。
【００６４】
画像形成装置１において、ＲＩＰユニット１０ｊは、送信された画像データ６ＦをＣＭＹＫの画像データ６Ｄ２に変換する。また、この印刷ジョブの実行の指示を受け付けたときにジョブ番号が発行される。
【００６５】
機密プリント機能がオフの場合、プリントユニット１０ｍは、画像データ６Ｄ２に基づいて印刷ジョブを実行する。
【００６６】
この画像データ６Ｄ２に対して、ファイル化の処理が行われファイル名が付与される。そして、この画像データ６Ｄ２は、印刷データ６Ｂとして印刷データ記憶部１０３に記憶される。
【００６７】
上述のコピージョブと同様に、この印刷ジョブの実行に関する情報を示すデータは、ジョブ実績データ６Ａとしてジョブ実績記憶部１０２に保存される。
【００６８】
機密プリント機能がオンの場合、プリントユニット１０ｍは、直ちには印刷を行わない。ユーザが、タッチパネルディスプレイ１１ｅを操作して画像形成装置１へ直接ログインした後で、図７に示されるような機密プリント選択画面５Ｂで所定の操作を行った場合に、つまり、一旦停止された印刷ジョブの中から再開させたい印刷ジョブを選択して実行ボタンをタッチした場合に、プリントユニット１０ｍは、一旦停止にされた印刷ジョブを再開する。なお、画像形成装置１へログインしたユーザのユーザコードに示されるジョブ実績データ６Ａの印刷ジョブのボタンが、この機密プリント選択画面５Ｂに含まれる。
【００６９】
上述の機密プリント機能がオフの場合と同様に、画像データ６Ｄ２は、ファイル化の処理およびファイル名の付与が行われ、印刷データ６Ｂとして印刷データ記憶部１０３に記憶される。また、この印刷ジョブの実行に関する情報を示すデータは、ジョブ実績データ６Ａとしてジョブ実績記憶部１０２に保存される。
【００７０】
〔再印刷ジョブの実行およびその削除〕
図８は、ジョブ実績一覧画面５Ｃの例である。図９は、条件変更画面５Ｄの例である。図１０は、保留ジョブ記憶部１０４の例を示す図である。図１１は、保留ジョブ一覧画面５Ｅの例を示す図である。
【００７１】
ユーザは、再印刷ジョブの実行を指示するために、タッチパネルディスプレイ１１ｅを操作して、画像形成装置１へのログインを要求する。または、端末装置２から画像形成装置１にアクセスして、画像形成装置１へのログインを要求する。
【００７２】
再印刷ジョブは、ジョブ実績記憶部１０２に記憶されているジョブ実績データ６Ａに示されるファイル名に対応する印刷データ６Ｂに基づいて画像を印刷する、印刷ジョブである。
【００７３】
通常認証部１０５は、上述のユーザの認証およびログインの処理と同様に、ユーザコードおよびパスワードをユーザに要求する。ユーザによって入力されまたは送信されたユーザコードと同じユーザコードをユーザ情報記憶部１０１から検索し、検索したユーザコードに対応するパスワードと入力されまたは送信されたパスワードと、が一致するか否か判断する。一致する場合は、画像形成装置１へのユーザのログインを許可し、ログインの成功の旨をタッチパネルディスプレイ１１ｅに表示しまたは端末装置２へ通知する。
【００７４】
ユーザは、タッチパネルディスプレイ１１ｅを操作して、過去に実行した印刷ジョブの一覧の表示を要求する。または、端末装置２を操作して、過去に実行した印刷ジョブの一覧の表示を要求する。
【００７５】
ジョブ実績提供部１０６は、図８に示されるような、過去に実行した印刷ジョブの一覧を表示するジョブ実績一覧画面５Ｃをタッチパネルディスプレイ１１ｅへ表示し、またはジョブ実績一覧画面５Ｃのデータを端末装置２へ送信する。なお、上述の機密プリント機能と同様に、画像形成装置１へログインしたユーザのユーザコードに示されるジョブ実績データ６Ａの印刷ジョブのボタンがジョブ実績一覧画面５Ｃに含まれる。
【００７６】
タッチパネルディスプレイ１１ｅには、ジョブ実績一覧画面５Ｃが表示される。または、端末装置２は、ジョブ実績一覧画面５Ｃのデータを受信してジョブ実績一覧画面５Ｃを表示する。画像形成装置１は、タッチパネルディスプレイ１１ｅにより、ユーザからの再印刷ジョブの選択を受け付ける。または、端末装置２は、ユーザによって選択された再印刷ジョブを示すデータを画像形成装置１へ送信する。
【００７７】
再印刷ジョブ受付部１０７は、再印刷ジョブの選択がタッチパネルディスプレイ１１ｅから受け付けられ、または、端末装置２から選択された再印刷ジョブを示すデータが送信されると、ジョブ番号を発行する。また、この再印刷ジョブに対応するジョブ実績データ６Ａを特定する。
【００７８】
続けて、再印刷ジョブ受付部１０７は、図９に示されるような、過去に実行した印刷ジョブの条件を今回の再印刷ジョブに用いるための条件に変更する条件変更画面５Ｄをタッチパネルディスプレイ１１ｅに表示し、または条件変更画面５Ｄのデータを端末装置２へ送信する。端末装置２で表示される条件変更画面５Ｄには、再印刷ジョブを直ちに実行するか否かの情報を入力する入力欄７Ｄが含まれる。
【００７９】
以下、再印刷ジョブを直ちに実行するか否かを示す情報を、即時印刷情報６Ｈと記載する。また、ユーザは、端末装置２から再印刷ジョブの選択を行ったとする。
【００８０】
端末装置２は、条件変更画面５Ｄのデータを受信して条件変更画面５Ｄを表示する。そして、ユーザによって変更された条件、即時印刷情報６Ｈ、および再印刷ジョブの実行の指示を画像形成装置１へ送信する。
【００８１】
実行可否判別部１０８は、受信された即時印刷情報６Ｈを参照して、再印刷ジョブを直ちに実行するか否かを判別する。
【００８２】
即時印刷情報６Ｈが再印刷ジョブを直ちに実行する旨を示す場合、ジョブ実行部１０９は、上述のように特定されたジョブ実績データ６Ａに示されるファイル名に対応する印刷データ６Ｂに示される画像を条件に従って印刷するように、プリントユニット１０ｍを制御する。
【００８３】
再印刷ジョブ受付部１０７は、この再印刷ジョブの実行に関する情報を示すデータ、つまり発行されたジョブ番号、この印刷ジョブの種類、この再印刷ジョブを実行した日時、この再印刷ジョブの実行結果、印刷された画像の印刷データ６Ｂのファイル名、およびこの再印刷ジョブの実行を指示したユーザのユーザコードを示すデータを、ジョブ実績データ６Ａとしてジョブ実績記憶部１０２に記憶する。
【００８４】
なお、ユーザがタッチパネルディスプレイ１１ｅから再印刷ジョブの実行の指示を行った場合は、実行可否判別部１０８による判別を行うことなく、再印刷ジョブを直ちに実行するときと同様の処理が行われる。
【００８５】
即時印刷情報６Ｈが再印刷ジョブを直ちに実行しない旨を示す場合、ジョブ保留処理部１１０は、この再印刷ジョブに関する情報を示すデータ、つまり発行されたジョブ番号、指示日時、ファイル名、および再印刷ジョブの実行を指示したユーザのユーザコードを示すデータを保留ジョブデータ６Ｇとして保留ジョブ記憶部１０４に記憶する。以下、直ちに実行されない再印刷ジョブを保留ジョブと記載する。
【００８６】
保留ジョブ記憶部１０４には、図１０に示すように、保留ジョブごとの保留ジョブデータ６Ｇが記憶されている。「ジョブ番号」は、発行された保留ジョブの番号である。「ユーザコード」は、その保留ジョブを指示したユーザのＩＤである。「指示日時」は、その保留ジョブの実行が指示された日および時間である。「ファイル名」は、上述のように特定されたジョブ実績データ６Ａに示されるファイル名に対応する印刷データ６Ｂの識別子である。
【００８７】
保留ジョブデータ６Ｇが保留ジョブ記憶部１０４に記憶されると、ジョブ保留通知部１１１は、その保留ジョブデータ６Ｇの再印刷ジョブを保留にした旨、および再印刷ジョブの再開のためには画像形成装置１に直接ログインすることが必要である旨を示す保留メッセージを端末装置２へ通知する。なお、通知の方法としては、ユーザ情報記憶部１０１を参照して、再印刷ジョブの実行の指示を送信した端末装置２のメールアドレスに通知のメールを送信する方法がある。
【００８８】
端末装置２は、保留メッセージを受信して表示する。ユーザは、表示された保留メッセージを確認すると、画像形成装置１へ向かう。タッチパネルディスプレイ１１ｅを操作して、画像形成装置１へのログインを要求する。
【００８９】
再開認証部１１４は、上述のユーザの認証およびログインの処理と同様に、ユーザの認証およびログインのための処理を行う。
【００９０】
ジョブ開始指令受付部１１２は、保留ジョブ記憶部１０４の保留ジョブデータ６Ｇに基づいて、図１１に示されるような、保留ジョブの一覧を表示する保留ジョブ一覧画面５Ｅをタッチパネルディスプレイ１１ｅに表示させ、ユーザから再開させたい保留ジョブの選択およびその実行の指示を受け付ける。なお、この保留ジョブ一覧画面５Ｅには、画像形成装置１へログインしたユーザのユーザコードに示される保留ジョブデータ６Ｇの保留ジョブのボタンが含まれる。
【００９１】
タッチパネルディスプレイ１１ｅには、保留ジョブ一覧画面５Ｅが表示される。画像形成装置１は、タッチパネルディスプレイ１１ｅにより、ユーザからの保留ジョブの選択およびその実行の指示を受け付ける。
【００９２】
ジョブ実行部１０９は、ユーザが選択した保留ジョブの保留ジョブデータ６Ｇに含まれるファイル名に対応する印刷データ６Ｂに示される画像を条件に従って印刷するように、プリントユニット１０ｍを制御する。
【００９３】
ジョブ開始指令受付部１１２は、この保留ジョブの実行に関する情報を示すデータ、つまり発行されたジョブ番号、この印刷ジョブの種類、この保留ジョブを実行した日時、この保留ジョブの実行結果、印刷された画像の印刷データ６Ｂのファイル名、およびこの保留ジョブの実行を指示したユーザのユーザコードを示すデータを、ジョブ実績データ６Ａとしてジョブ実績記憶部１０２に記憶する。
【００９４】
実行待ジョブ削除部１１３は、実行された保留ジョブの保留ジョブデータ６Ｇを保留ジョブ記憶部１０４から削除する。また、あらかじめ定められた時間ごとに（例えば、１分ごと）保留ジョブ記憶部１０４を参照し、「指示日時」から所定時間（例えば、３０分）経過してもまだ記憶されている保留ジョブデータ６Ｇを特定して削除する。
【００９５】
〔全体的な処理の流れ〕
図１２は、全体的な処理の流れの例を示すフローチャートである。図１３は、印刷ジョブ実行処理の流れの例を示すフローチャートである。図１４は、再印刷ジョブ実行処理の流れの例を示すフローチャートである。図１５は、保留ジョブ実行処理の流れの例を示すフローチャートである。
【００９６】
次に、以上の構成を備える画像形成装置１における処理の流れを、必要な図面を参照しながら説明する。画像形成装置１は、ジョブ実行プログラム１０Ｐに基づいて、図１２に示す手順で処理を実行する。
【００９７】
ユーザがタッチパネルディスプレイ１１ｅまたは端末装置２を操作して画像形成装置１へログインを要求すると（図１２の＃１１でＮｏ、＃１２でＹｅｓ）、画像形成装置１は、ユーザによって入力されまたは送信された情報とユーザ情報記憶部１０１に記憶されている情報とを用いて、ユーザの認証およびログインのための処理を行う（＃１３）。認証が成功すると（＃１４でＹｅｓ）、ログインを許可する（＃１５）。なお、ステップ＃１２〜＃１５までの処理は、ユーザがすでに画像形成装置１にログインしている場合、省略される（＃１１でＹｅｓ）。
【００９８】
ユーザがタッチパネルディスプレイ１１ｅまたは端末装置２を操作して印刷ジョブの実行を指示すると（＃１６でＹｅｓ）、次のように印刷ジョブ実行処理が行われる（＃１７）。
【００９９】
画像形成装置１は、端末装置２から送信された印刷ジョブの実行の指示に従って、印刷ジョブを実行する（図１３の＃６０１）。この際に、印刷データ６Ｂが生成される。画像形成装置１は、印刷データ６Ｂおよびジョブ実績データ６Ａをそれぞれ保存する（＃６０２、＃６０３）。
【０１００】
図１２に戻って、ユーザがタッチパネルディスプレイ１１ｅまたは端末装置２を操作して過去に実行した印刷ジョブの一覧の表示を要求すると（図１２の＃１８でＹｅｓ）、次のように再印刷ジョブ実行処理が行われる（＃１９）。
【０１０１】
画像形成装置１は、ジョブ実績一覧画面５Ｃをタッチパネルディスプレイ１１ｅに表示しまたは端末装置２へ送信する（図１４の＃６１１）。端末装置２は、ジョブ実績一覧画面５Ｃを表示し、ユーザによって選択された再印刷ジョブを送信する。
【０１０２】
画像形成装置１は、選択された再印刷ジョブを端末装置２から受信した場合（＃６１２でＹｅｓ）、端末装置２へ条件変更画面５Ｄを送信する（＃６１３）。端末装置２は、条件変更画面５Ｄを表示し、変更された条件、即時印刷情報６Ｈ、および再印刷ジョブを実行する指示を送信する。
【０１０３】
画像形成装置１は、送信された即時印刷情報６Ｈの内容を判別する（＃６１４）。即時印刷情報６Ｈが再印刷ジョブを直ちに実行しない旨を示す場合（＃６１５でＮｏ）、保留ジョブデータ６Ｇを記憶し（＃６１６）、保留メッセージを端末装置２へ通知する（＃６１７）。
【０１０４】
画像形成装置１が、選択された再印刷ジョブの入力をタッチパネルディスプレイ１１ｅから受け付けた場合（＃６１２でＮｏ）、条件変更画面５Ｄをタッチパネルディスプレイ１１ｅに表示する（＃６１８）。ユーザによって入力された、変更された条件に従って再印刷ジョブを実行し（＃６１９）、この再印刷ジョブの実行に関する情報をジョブ実績データ６Ａとして記憶する（＃６２０）。つまり、再印刷ジョブを保留することなく直ちに実行する。即時印刷情報６Ｈが再印刷ジョブを直ちに実行する旨を示す場合も（＃６１５でＹｅｓ）、ステップ＃６１９、＃６２０の処理が行われる。
【０１０５】
図１２に戻って、ユーザによってタッチパネルディスプレイ１１ｅから直接ログインが要求されると（図１２の＃２０でＹｅｓ）、次のように保留ジョブ実行処理が行われる（＃２１）。
【０１０６】
画像形成装置１は、ユーザによって入力された情報とユーザ情報記憶部１０１に記憶されている情報とを用いて、ユーザの認証およびログインのための処理を行う（図１５の＃６３１）。認証が成功すると（＃６３２でＹｅｓ）、ログインを許可し（＃６３３）、保留ジョブの一覧を表示する（＃６３４）。
【０１０７】
画像形成装置１は、ユーザから、再開させたい保留ジョブの選択およびその実行の指示を受け付けると（＃６３５でＹｅｓ）、この保留ジョブを実行し（＃６３６）、この保留ジョブの実行に関する情報をジョブ実績データ６Ａとして記憶する（＃６３７）。また、その保留ジョブの保留ジョブデータ６Ｇを削除する（＃６３８）。また、その保留ジョブの保留ジョブデータ６Ｇに示されるユーザコードのユーザを、自動的にログアウトさせる（＃６３９）。
【０１０８】
図１２に戻って、予め定められた時間になるたびに（図１２の＃２２でＹｅｓ）、画像形成装置１は所定時間が経過しても実行されていない保留ジョブデータ６Ｇを特定し、その保留ジョブデータ６Ｇを削除する（＃２３）。なお、削除した保留ジョブデータ６Ｇに示されるユーザコードのユーザがログインしている場合、自動的にログアウトさせる。上述の処理は、画像形成装置１の電源がオフにされるまで継続される（＃２４でＮｏ）。
【０１０９】
本実施形態によると、ＰＣプリント機能以外の機能によって遠隔から画像形成装置１に印刷ジョブの指示を行った場合に、つまり画像形成装置１でのラスタライズが完了した印刷物を印刷する印刷ジョブの指示を遠隔から行う場合に、従来よりも印刷物を誤って持ち去られ難くすることができる。
【０１１０】
上述の実施形態において、ユーザが操作パネル１０ｎを画像形成装置１から取り外し、次のように、操作パネル１０ｎから画像形成装置１へ再印刷ジョブの実行の指示を行えるようにしてもよい。
【０１１１】
まず、ユーザは、操作パネル１０ｎを画像形成装置１から取り外す。すると、画像形成装置１は、バッテリ１１ｉに給電を行うことができなくなり、それにより操作パネル１０ｎが画像形成装置１から取り外されたと判別する。
【０１１２】
ユーザは、操作パネル１０ｎが取り外される前または取り外された後に、タッチパネルディスプレイ１１ｅを操作して画像形成装置１へ直接ログインを要求する。通常認証部１０５は、その要求を受けてユーザのログインおよび認証の処理を行う。
【０１１３】
ユーザは、画像形成装置１へ直接ログインしてから、操作パネル１０ｎのタッチパネルディスプレイ１１ｅを操作して過去に実行した印刷ジョブの一覧の表示を要求する。
【０１１４】
ジョブ実績提供部１０６は、ジョブ実績一覧画面５Ｃのデータを操作パネル１０ｎへ送信する。操作パネル１０ｎは、ジョブ実績一覧画面５Ｃのデータを受信してジョブ実績一覧画面５Ｃをタッチパネルディスプレイ１１ｅに表示する。そして、ユーザによって選択された再印刷ジョブを示すデータを画像形成装置１へ送信する。
【０１１５】
再印刷ジョブ受付部１０７は、選択された再印刷ジョブを示すデータが操作パネル１０ｎから送信されると、ジョブ番号を発行し、この再印刷ジョブに対応するジョブ実績データ６Ａを特定する。そして、入力欄７Ｄを含む条件変更画面５Ｄのデータを操作パネル１０ｎへ送信する。操作パネル１０ｎは、条件変更画面５Ｄのデータを受信して条件変更画面５Ｄをタッチパネルディスプレイ１１ｅに表示する。そして、ユーザによって変更された条件、即時印刷情報６Ｈ、および再印刷ジョブの実行の指示を画像形成装置１へ送信する。
【０１１６】
実行可否判別部１０８が、即時印刷情報６Ｈが再印刷ジョブを直ちに実行する旨を示すと判別した場合、ジョブ実行部１０９は、上述のように特定されたジョブ実績データ６Ａに示されるファイル名に対応する印刷データ６Ｂに示される画像を条件に従って印刷するように、プリントユニット１０ｍを制御する。
【０１１７】
再印刷ジョブ受付部１０７は、この再印刷ジョブの実行に関する情報を、ジョブ実績データ６Ａとしてジョブ実績記憶部１０２に記憶する。
【０１１８】
実行可否判別部１０８が、即時印刷情報６Ｈが再印刷ジョブを直ちに実行しない旨を示すと判別した場合、ジョブ保留処理部１１０は、この再印刷ジョブに関する情報を保留ジョブデータ６Ｇとして保留ジョブ記憶部１０４に記憶する。
【０１１９】
保留ジョブデータ６Ｇが保留ジョブ記憶部１０４に記憶されると、ジョブ保留通知部１１１は、保留メッセージを操作パネル１０ｎへ通知する。操作パネル１０ｎは、保留メッセージを受信してタッチパネルディスプレイ１１ｅに表示する。なお、保留メッセージには、再印刷ジョブを保留にした旨および操作パネル１０ｎを画像形成装置１へ接続すべき旨が示される。
【０１２０】
ユーザは、表示された保留メッセージを確認すると、画像形成装置１へ向かう。そして、操作パネル１０ｎを画像形成装置１に取り付ける。すると、画像形成装置１は、バッテリ１１ｉに給電を行うことができるようになり、それにより操作パネル１０ｎが画像形成装置１に取り付けられたと判別する。
【０１２１】
そして、ジョブ開始指令受付部１１２は、ユーザから再開させたい保留ジョブの選択とその実行の指示を受け付ける。ジョブ実行部１０９は、この実行の指示に従ってプリントユニット１０ｍを制御する。実行待ジョブ削除部１１３は、実行されたこの保留ジョブの保留ジョブデータ６Ｇを削除する。また、ジョブ開始指令受付部１１２は、実行したこの保留ジョブに関する情報をジョブ実績データ６Ａとして記憶させる。
【０１２２】
上述の処理を実現するために、図１２、図１４および図１５に示されるフローチャートにおいて、次のように処理が行われまたは省略される。
【０１２３】
画像形成装置１は、ジョブ実績一覧画面５Ｃをタッチパネルディスプレイ１１ｅに表示した後に（図１４の＃６１１）、操作パネル１０ｎが取り外されているか判別する。取り外されていると判別した場合に、操作パネル１０ｎへ入力欄７Ｄを含む条件変更画面５Ｄを送信する（＃６１３）。取り外されていないと判別した場合に、再印刷ジョブを端末装置２から受信したか否かを判別する（＃６１２）。
【０１２４】
さらに、画像形成装置１は、再印刷ジョブ実行処理の終了後に（図１２の＃１９）、操作パネル１０ｎが取り付けられているか否かを判別する。取り付けられていると判別した場合に、保留ジョブの一覧の表示を表示する（図１５の＃６３４）。取り付けられていないと判別した場合に、予め定められた時間になったか否かを判別する（図１２の＃２２）。また、ユーザはすでに画像形成装置１へ直接ログインしているため、保留ジョブを実行するための認証およびログイン処理（図１２の＃２０、図１５の＃６３１〜＃６３３）は省略される。
【０１２５】
上述の実施形態では、再印刷ジョブを直ちに実行する旨を即時印刷情報６Ｈが示すと実行可否判別部１０８が判別した場合、再印刷ジョブを保留せずに実行した。しかし、再印刷ジョブの実行の指示を行う前に、ユーザがタッチパネルディスプレイ１１ｅを使用して画像形成装置１に直接ログインしていた場合は、実行可否判別部１０８による判別を行わずに、再印刷ジョブを実行してもよい。印刷物を取る代理の人があらかじめ画像形成装置１の前で待機している場合に、業務をスムーズに行うことができる。または、再印刷ジョブの実行の指示を行ってから所定の時間（例えば、１０分）を経過するまでの間にユーザが画像形成装置１へログインした場合に、実行可否判別部１０８による判別を行わずに、再印刷ジョブを実行してもよい。
【０１２６】
上述の実施形態では、再印刷ジョブの実行を保留にした。つまり、過去に画像形成装置１で印刷された印刷データ６Ｂの印刷ジョブの実行を保留にした。しかし、印刷データ記憶部１０３に記憶されている印刷データ６Ｂの印刷ジョブ、つまりラスタライズが完了した印刷データ６Ｂの印刷ジョブであれば、再印刷ジョブでなくとも、その印刷ジョブの実行を保留にしてもよい。
【０１２７】
上述の実施形態では、端末装置２はウェブブラウザを介して画像形成装置１を操作したが、遠隔地からコンピュータにログインして直接そのコンピュータを操作してもよい。つまり、リモートログインであってもよい。
【０１２８】
その他、セキュリティ印刷システム１００、画像形成装置１、端末装置２の全体または各部の構成、処理の内容、処理の順序、データの構成などは、本発明の趣旨に沿って適宜変更することができる。
【符号の説明】
【０１２９】
１００  セキュリティ印刷システム
１  画像形成装置
２  端末装置
６Ｂ  印刷データ（ラスタライズ画像）
１０７  再印刷ジョブ受付部（受信手段、指示受付手段）
１１２  ジョブ開始指令受付部（実行受付手段）
１０９  ジョブ実行部（印刷手段）
１０３  印刷データ記憶部（記憶手段）
１１１  ジョブ保留通知部（通知手段）
１１３  実行待ジョブ削除部（取消手段）
１０６  ジョブ実績提供部（送信手段）
１０ｎ  操作パネル（操作装置）
【図１】
2018020443.tif 000003
【図２】
2018020443.tif 000004
【図３】
2018020443.tif 000005
【図４】
2018020443.tif 000006
【図５】
2018020443.tif 000007
【図６】
2018020443.tif 000008
【図７】
2018020443.tif 000009
【図８】
2018020443.tif 000010
【図９】
2018020443.tif 000011
【図１０】
2018020443.tif 000012
【図１１】
2018020443.tif 000013
【図１２】
2018020443.tif 000014
【図１３】
2018020443.tif 000015
【図１４】
2018020443.tif 000016
【図１５】
2018020443.tif 000017